(57)【要約】【課題】ボトルキャップに嵌合させて、小さい力でもキャップを開栓できるキャップオープナーであって、缶入り飲料や缶詰のプルタブを引き起こすためのプルタブオープナーの機能を備え、ボトルキャップの大きさが多少異なっても容易に嵌合できるボトルキャップオープナーの提供。【解決手段】外周面４の一部にはプルタブを引き起こすための突起部５が設けられ、ボトルキャップを挿入嵌合し開栓するための円形開口部８の内周面は、直径の異なる二つの内周面６ａと６ｂとからなり、各内周面６ａと６ｂとにはそれぞれローレット目７ａと７ｂとが不連続に複数の位置に設けられ、かつ、各内周面６ａと６ｂとに設けられたローレット目７ａと７ｂの位置が異なっているボトルキャップオープナー。【選択図】図５
0003166990.tif 000002
【実用新案登録請求の範囲】
【請求項１】
外周面の一部にはプルタブを引き起こすための突起部が設けられ、ボトルキャップを挿入嵌合し開栓するための円形開口部の内周面は、直径の異なる二つの内周面からなり、各内周面にはそれぞれローレット目が不連続に複数の位置に設けられ、かつ、各内周面に設けられたローレット目の位置は内周面相互で異なっているボトルキャップオープナー。
【請求項２】
請求項１に記載のボトルキャップオープナーにおいて、突起部を除いた外周面により形成される外形はほぼ正六角形であることを特徴とするボトルキャップオープナー。
【請求項３】
請求項２に記載のボトルキャップオープナーにおいて、プルタブを引き起こすための突起部は、外周面により形成される六角形の一つの頂点に設けられていることを特徴とするボトルキャップオープナー。
【請求項４】
請求項１〜３のいずれか一項に記載のボトルキャップオープナーにおいて、円形開口部の二つの内周面には、ローレット目がそれぞれ３箇所にほぼ等しい間隔を置いて設けられていることを特徴とするボトルキャップオープナー。
【請求項５】
請求項４に記載のボトルキャップオープナーにおいて、プルタブを引き起こすための突起部が設けられた頂点と対向する頂点にホルダー用突起部が設けられていることを特徴とするボトルキャップオープナー。
【請求項６】
請求項１〜５のいずれか一項に記載のボトルキャップオープナーは、ローレット目が不連続に複数の位置に設けられ、直径の異なる開口部を有する２枚のアルミニウム板材が接合されている構成であることを特徴とするボトルキャップオープナー。
【考案の詳細な説明】
【技術分野】
【０００１】
本考案は、ペットボトルなどプラスチック製ボトルのねじ込みキャップのオープナー（開栓具）、および缶入り飲料や缶詰のプルタブを引き起こし、開缶するための用具に関する。
【背景技術】
【０００２】
ペットボトルは各種飲料や調味料などの容器に多用されているが、ボトルを密封するためのボトルキャップは、ボトル本体に嵌め込まれているリングと、スポット的に数ヶ所結合されている。そして、ペットボトルを開栓するためには、ボトルキャップを反時計回りに回し、数ヶ所の結合部を引きちぎることが必要になる。そのため、ペットボトルの開栓にはかなりの力が必要となり、子供や老人などでは開栓ができない場合がある。
【０００３】
また、缶ビールや缶ジュースなどの缶入り飲料には、プルタブを付けて素手で開缶できるようにしたものが多いが、プルタブを引き起こし、開缶するためにはある程度の力を必要とし、指先の爪を傷める恐れもある。
【０００４】
そのため、このような問題点を解消するために、ボトルキャップに嵌合させて、小さい力でもキャップを開栓できるキャップオープナーに、プルタブを引き起こすためのプルタブオープナーを付随させ一体化したオープナーが提案されている。特許文献１にはオープナーの内周面にローレット目を形成した開口部を設け、この開口部をキャップに嵌合させてキャップを回転させるキャップオープナーと、本体の一部クサビ状の突起部を形成し、この突起部でプルタブを引き起こすプルタブオープナーとが一体化したオープナーが示されている。また、特許文献２には開口部の内周面全体もしくは内周面の一部にローレット目などの摩擦手段を設けてキャップオープナーとし、外周面にプルタブオープナーを一体に設けたオープナーが示されている。
【０００５】
一方、ペットボトルのボトルキャップの外形はボトルの種類により多少異なることが多く、統一されたものではなく直径など寸法も多少異なり、キャップオープナーの開口部とキャップとがうまく嵌合できない場合がある。そのため、特許文献２に示されるオープナーでは、開口部の円周部に切り欠き部を設け、円弧状の開口とし、キャップ外周面に沿って弾性的に着脱できるようにしている。このようにすることで、キャップの外径が異なっても、着脱可能としている。しかしながら、この場合にはオープナーの材質を弾性変形可能な素材により形成することになり、硬質な素材が好ましいプルタブオープナーとしては好ましくない。
【先行技術文献】
【特許文献】
【０００６】
【特許文献１】登録実用新案第３０６５５３９号公報
【特許文献２】特開２００１−１３９０３０号公報
【考案の概要】
【考案が解決しようとする課題】
【０００７】
本考案の課題は、ボトルキャップの大きさが多少異なっても容易に嵌合させて、小さい力でキャップを開栓でき、さらに缶入り飲料や缶詰のプルタブを引き起こすためのプルタブオープナーの機能も有するボトルキャップオープナーを提供することである。
【課題を解決するための手段】
【０００８】
本考案のボトルキャップオープナーは、外周面の一部にはプルタブを引き起こすための突起部が設けられ、ボトルキャップを挿入嵌合し開栓するための円形開口部の内周面は、直径の異なる二つの内周面からなり、各内周面にはそれぞれローレット目が不連続に複数の位置に設けられ、かつ、各内周面に設けられたローレット目の位置は内周面相互で異なっている。すなわち、円形開口部の内周面には段差が存在し、かつ二つの内周面にはそれぞれローレット目が異なる位置に部分的に設けられた形状となっている。
【０００９】
上記のボトルキャップオープナーにおいては、突起部を除いた外周面で形成される外形はほぼ正六角形であることが好ましく、さらに、プルタブを引き起こすための突起部はこの六角形の一つの頂点に設けられていることが好ましい。
【００１０】
そして、円形開口部を形成する二つの内周面には、ローレット目がそれぞれほぼ等しい間隔を置いて３箇所、合計６箇所に設けられていることが好ましい。さらに、プルタブを引き起こすための突起部が設けられた頂点と対向する頂点にホルダー用突起部を設け、この突起部に二重リングや丸カンを取り付けキーホルダーとしたり、紐や鎖などを取り付けたりしてもよい。
【００１１】
これらのボトルキャップオープナーは、ローレット目が不連続に複数の位置に設けられ、直径の異なる円形開口部を有する２枚のアルミニウム板材を接合することにより作成したものが好ましい。
【考案の効果】
【００１２】
本考案のボトルキャップオープナーでは、ボトルキャップを挿入嵌合し開栓するための円形開口部の内周面に段差が存在し、各内周面にはローレット目が不連続に設けられているため、キャップの大きさが多少異なっても、簡単に挿入嵌合が可能で、かつボトルキャップオープナーのいずれかのローレット目とボトルキャップのローレット目とが嵌合し固定されるので、容易に開栓することができる。一方、ボトルキャップを挿入する円形開口部のローレット目が設けられた内周面を円錐台状とし、ボトルキャップの大きさが異なっても、挿入嵌合できるような構造としたものでは、ボトルキャップの先端部の角で嵌合することになり、この角の部分のローレット目が摩滅し、キャップとオープナーとの嵌合が緩むことが多く好ましくない。
【００１３】
また、突起部を除いたボトルキャップオープナーの外形をほぼ正六角形とすることで、握り易く開栓が容易となり、さらにこの正六角形の一つの頂点にプルタブを引き起こすための突起部を設けることで力を入れ易くなる。そして、この突起部の対向する位置にホルダー用突起部を設けることでさらに力を入れ易くなる。
【００１４】
本考案のオープナーは硬質のプラスチック素材で作成することも可能ではあるが、アルミニウム板材を使用することで容易に製作でき、軽量で強度、耐久性に優れたオープナーとすることができる。アルミニウム板材としては、他のアルミニウム製品の打ち抜き加工に際して発生する打ち抜き残材などの利用もでき、資源リサイクルにも寄与することができる。
【図面の簡単な説明】
【００１５】
【図１】本考案のボトルキャップオープナーの実施例の正面説明図である。
【図２】上記オープナーの背面説明図である。
【図３】上記オープナーの側面説明図である。
【図４】図１におけるＡ−Ａ線の断面説明図である。
【図５】上記オープナーの斜視説明図である。
【図６】上記オープナーを用いボトルキャップを開栓している説明図である。
【図７】同じく小さいボトルキャップを開栓する方法の説明図である。
【図８】同じく大きいボトルキャップを開栓する方法の説明図である。
【図９】上記オープナーを用いプルタブを引き起こしている説明図である。
【考案を実施するための形態】
【００１６】
以下本考案の実施例を図に基づいて詳細に説明する。図１はボトルキャップオープナー１の正面説明図、図２は背面説明図、図３は側面説明図、図４は図１にけるＡ−Ａ線での断面説明図である。本実施例におけるボトルキャップオープナー１は２枚のアルミニウム板材２と３とを接合して製作されている。各板材はそれぞれ直径の異なる円形開口部を有し、内周面にはローレット目が不連続に設けられている。外形がほぼ正六角形であるアルミニウム板材２の内周面６ａにはローレット目７ａがほぼ等しい間隔を置いて３箇所に設けられている。アルミニウム板材３には対向する頂点にプルタブを引き起こすための突起部５とホルダー用突起部９が設けられており、ホルダー用突起部９には二重リング１０が取り付けられ、内周面６ｂにはローレット目７ｂがほぼ等しい間隔を置いて３箇所に設けられている。板材３の内周面６ｂは、板材２の内周面６ａより直径の大きい円形となっており、ボトルキャップオープナー１の円形開口部８の内周面は段差を生じている。そして、ローレット目７ａと７ｂとは、それぞれ互い違いになるように合計６箇所に配置されている。図５は、ボトルキャップオープナー１の背面側より、すなわちプルタブを引き起こすための突起部５とホルダー用突起部９が設けられているアルミニウム板材３側から見た斜視図である。
【００１７】
図１〜５に示されるように、ボトルキャップオープナー１を構成しているアルミニウム板材２と３とでは、内側の開口部の直径は異なっているが、外形を構成する外周面４は、突起部５とホルダー用突起部９の部分を除き、ほぼ一致した面となり、ほぼ正六角形を形成している。本実施例では、両突起部５と９とをいずれもアルミニウム板材３に設けたが、これらの突起部はいずれの板材に設けてもよいし、それぞれ別の板材に設けることでもよい。このような外形のオープナーとすることで、ボトルキャップの開栓時に握り易く、小さい力で容易に開栓することができる。また、実施例ではホルダー用突起部９には二重リング１０を取り付けたが、二重リング１０に替えて紐や鎖を取り付けてもよい。
【００１８】
ボトルキャップオープナー１を用いて開栓するには、ボトルキャップを円形開口部８に挿入し、ボトルキャップのローレット目がオープナーのローレット目７ａまたは７ｂのいずれかに一致する場合には、オープナーの内周面とキャップの周囲とに設けられたローレット目同士を互いに嵌合させて開栓を行う。図６ではボトルキャップ２１のローレット目をオープナーのローレット目７ｂに嵌合させて開栓する状態を示している。
【００１９】
通常、ボトルキャップはほぼ同一の大きさではあるが、実際にはボトルキャップの外形はボトルの種類により多少異なることが多く、統一されたものではなく直径など寸法も多少異なり、オープナーのローレット目と完全に一致しない場合が多い。本考案のオープナーでは、キャップが挿入される開口部の内周面に段差があり、かつローレット目が不連続となっているため、キャップの大きさが多少異なり、図6で示されるようにキャップを円形開口部８に完全に挿入できない場合でも、キャップのローレット目をオープナーのローレット目のいずれかと嵌合させることができ、開栓することができる。
【００２０】
例えば、オープナーの円形開口部８よりボトルキャップ２１の直径が小さい場合では、図７に示すように、ボトルキャップオープナー１を斜めにして挿入すれば、ボトルキャップ２１のローレット目がオープナーのローレット目のいずれかと嵌合して、ボトルキャップオープナー１にボトルキャップ２１を固定することができ、開栓することができる。
【００２１】
一方、ボトルキャップ２１の直径が大きく、円形開口部８に完全に挿入ができない場合でも、図８に示すようにボトルキャップオープナー１を斜めにして挿入することで、ボトルキャップ２１のローレット目の一部をボトルキャップオープナー１のローレット目に嵌合することができる。本考案のボトルキャップオープナーのローレット目は部分的に設けられ不連続になっているため、ボトルキャップ２１が多少大きくても、斜めにすれば円形開口部８にボトルキャップの一部を簡単に挿入することができ、ボトルキャップ２１のローレット目の一部をボトルキャップオープナー１のローレット目のいずれかに嵌合でき、開栓することができる。
【００２２】
このように本考案のオープナーでは、ボトルキャップの大きさが多少異なっても容易に開栓することができる。
【００２３】
一方、図９には、突起部５を用いて、缶飲料などの缶体３０のプルタブ３１を引き起こして、開缶を行う方法を示している。ここでは、突起部５はボトルキャップオープナー１の外形の正六角形の頂点に設けられているため、プルタブ３１の引き起こしに際して、オープナーを最も長く利用でき、テコの原理により少ない力で引き起こすことができる。ボトルキャップオープナー１には、ホルダー用突起部９も設けられているため、この効果をさらに増加させている。
【００２４】
本考案のボトルキャップオープナーを構成する素材としては、その目的からして硬質材料であることが好ましい。硬質材料としては、各種の硬質合成樹脂も使用できるが、好ましい素材としては金属材料が好ましく、上記の実施例のようにアルミニウムやその合金が好ましい。本考案のボトルキャップオープナーは２枚のアルミニウム板材を接合して製作されることが好ましい。ここで用いるアルミニウム板材としては、純アルミニウムおよびその合金からなる板材が用いられる。アルミニウムは密度が小さく、重量あたりの強度など性質が他の金属と比較して優れており、軽量な用具とすることができ、純アルミニウムやアルミニウム合金として銅、マンガン、シリコン、マグネシウムなどとの合金を用いることができる。
【００２５】
ボトルキャップオープナーを製作するに際して、アルミニウム板材に円形開口部、ローレット目、突起部などを設ける加工や２枚のアルミニウム板材の接合する方法としては、一般のアルミニウムの加工に用いられる方法により加工することができる。打ち抜きや切削加工により開口部やローレット目などを設けたアルミニウム板材の接合には、エポキシ樹脂など各種の樹脂系接着剤を用いて接着接合することもできるが、金属材料同士の接合であるので、スポット溶接により接合したり、元の形状をほぼ維持できる範囲で２枚のアルミニウム板を加熱、加圧して接合したりすることが、オープナーの耐久性などの面から好ましい。
【００２６】
また、ボトルキャップオープナーは手で握りこむ程度の大きさであり、この製作に用いるアルミニウム板材としては、他のアルミニウム製品の製作加工に際して発生する残材、端材などを利用することもでき、資源リサイクルにも寄与できる。
【００２７】
また、構成素材として合成樹脂を用いたり、大量の製品を製作したりする場合には、型を作成して鋳造加工することも有効な手段である。
【００２８】
本考案のボトルキャップオープナーの形態は、前記した実施例の形態に限定されることなくその他の形態とすることもでき、例えば、突起部を頂点以外の位置に設けたり、外形を正六角形以外の多角形としたりすることなど、本考案の主旨を満たす各種の形態をとりうる。
【産業上の利用可能性】
【００２９】
本考案はボトルキャップの開栓や缶体の開缶に用いるオープナーに関するものではあるが、本考案のホルダー用突起に二重リングや丸カンを取り付け、キーホルダー兼用としたり、紐や鎖を取り付け携帯電話用のストラップ兼用としたりすることも可能である。
【符号の説明】
【００３０】
１    ボトルキャップオープナー
２、３    アルミニウム板材
４    外周面
５    突起部（プルタブ用）
６ａ、６ｂ    内周面
７ａ、７ｂ    ローレット目
８    円形開口部
９    ホルダー用突起部
１０  二重リング
２０  ボトル
２１  ボトルキャップ
３０  缶体
３１  プルタブ
【図１】
0003166990.tif 000003
【図２】
0003166990.tif 000004
【図３】
0003166990.tif 000005
【図４】
0003166990.tif 000006
【図５】
0003166990.tif 000007
【図６】
0003166990.tif 000008
【図７】
0003166990.tif 000009
【図８】
0003166990.tif 000010
【図９】
0003166990.tif 000011